(57)【要約】【課題】両面粘着テープの延伸時に両脇に形成される弾性変移領域、弾性変形領域をなくし、塑性変形部のみを瞼に貼付することにより、テープの延伸後の弾性的な伸縮を利用することなしに二重瞼を形成することができ、小皺や、ドライアイ等を防止することが可能な二重瞼形成用テープを提供すること。【解決手段】細長の基材の両面に粘着剤層が設けられた両面粘着テープ３と、粘着剤層を剥離可能な状態で覆う粘着面保護基材２０とを備え、使用時に長手方向に引っ張ることにより当該粘着面保護基材２０を分断して両面粘着テープ３を延伸させて、中央に当該両面粘着テープ３のみからなる塑性変形部１０を形成し、少なくとも片面、かつ、塑性変形部１０の両脇に非延伸性の基材からなる非延伸層１５が粘着剤層を介して固定され、非延伸層１５は、両面粘着テープ３側と反対の表面が粘着剤層を介して粘着面保護基材２０に覆われるようにする。【選択図】図１
2017200545.tif 000002
【特許請求の範囲】
【請求項１】
細長の基材の両面に粘着剤層が設けられた両面粘着テープと、前記粘着剤層を剥離可能な状態で覆う粘着面保護基材とを備え、
使用時に長手方向に引っ張ることにより当該粘着面保護基材を分断して前記両面粘着テープを延伸させて、中央に当該両面粘着テープのみからなる塑性変形部を形成し、当該塑性変形部を瞼に貼付する二重瞼形成用テープであって、
前記両面粘着テープは、少なくとも片面、かつ、前記塑性変形部の両脇に非延伸性の基材からなる非延伸層が前記粘着剤層を介して固定され、
前記非延伸層は、前記両面粘着テープ側と反対の表面が粘着剤層を介して前記粘着面保護基材に覆われていることを特徴とする二重瞼形成用テープ。
【請求項２】
前記両面粘着テープと前記非延伸層との間の前記粘着剤層を介した密着力は、前記両面粘着テープと前記粘着面保護基材との密着力よりも強いことを特徴とする請求項１に記載の二重瞼形成用テープ。
【請求項３】
前記非延伸層は、前記粘着剤層を介して前記両面粘着テープに剥離不能に固定されることを特徴とする請求項１又は請求項２に記載の二重瞼形成用テープ。
【請求項４】
細長の基材の両面に粘着剤層が設けられた複数の両面粘着テープと、当該複数の両面粘着テープ間に介される剥離基材とを積層した両面粘着テープ積層体と、
当該両面粘着テープ積層体の外側両面の各々に位置する粘着剤層を剥離可能な状態で覆う粘着面保護基材とを備え、
使用時に長手方向に引っ張ることにより当該粘着面保護基材及び前記剥離部材の各々を分断して前記複数の両面粘着テープを延伸させて、中央に当該両面粘着テープのみからなる塑性変形部を形成し、当該塑性変形部を螺旋状に捩じり瞼に貼付する二重瞼形成用テープであって、
前記両面粘着テープは、少なくとも片面、かつ、前記塑性変形部の両脇に非延伸性の基材からなる非延伸層が前記粘着剤層を介して固定され、
前記非延伸層は、前記両面粘着テープ側と反対の表面が粘着剤層を介して前記剥離基材又は前記粘着面保護基材に密着していることを特徴とする二重瞼形成用テープ。
【請求項５】
前記両面粘着テープと前記非延伸層との間の前記粘着剤層を介した密着力は、前記両面粘着テープと、前記粘着面保護基材及び前記剥離基材との密着力よりも強いことを特徴とする請求項４に記載の二重瞼形成用テープ。
【請求項６】
前記非延伸層は、前記粘着剤層を介して前記両面粘着テープに剥離不能に固定されることを特徴とする請求項４又は請求項５に記載の二重瞼形成用テープ。
【発明の詳細な説明】
【技術分野】
【０００１】
本発明は、二重瞼を形成する二重瞼形成用テープに関し、特に、延伸した後に瞼に貼り付けても収縮することがない二重瞼形成用テープに関する。
【背景技術】
【０００２】
従来より二重瞼を形成するための手段として、片面又は両面に粘着剤を塗布したフィルムから成るテープを瞼に貼り付けて、二重瞼を形成する二重瞼形成用テープが知られている。二重瞼形成用テープは、延伸可能でその延伸後にも弾性的収縮性を有する基材片から成り、例えば、延伸可能な基材片を所定長さに伸長させた状態で瞼に貼り付け、基材片の弾性的な伸縮性を利用して、疑似的な二重瞼を形成するようにする。
【０００３】
特許文献１には、二重瞼のひだを形成するための二重瞼形成用テープが開示されている。特許文献１に開示された二重瞼形成用テープは、延伸可能でその延伸後に弾性的な伸縮性を有する細いテープ状部材に粘着剤を塗着し、端部に指先で把持するための表面に粘着性のない把持部を設けることにより構成されている。
【０００４】
テープ状部材は、両端を把持して引っ張った状態で、瞼のひだを形成したい位置に押し当て、粘着剤によってテープ状部材をそこに貼り付けて、そのまま両端の把持部を離すことにより、延伸後、引っ張った状態にあるテープ状部材の塑性変形した部分が弾性的に縮む。このとき、それが瞼にくい込んだ状態になって、二重瞼のひだが形成される。
【０００５】
特許文献２には、瞼にテープ状部材に沿ったくびれを形成する瞼整形用テープが開示されている。特許文献２に開示された二重瞼形成用テープは、延伸可能でその延伸後にも弾性的収縮性を有する細長い基材片の両面に、粘着剤が塗着されて成るテープ状部材と、テープ状部材の両面の粘着剤に貼着され、テープ状部材と同形状に形成されて中央に易破断部を有する剥離シート片とにより構成されている。また、テープ状部材の両側端に、長手方向の全体に亘って波形の突出部を凸設したものである。
【０００６】
このように、特許文献２は、延伸可能でその延伸後にも弾性的収縮性を有する細長い基材片に、粘着剤が塗着されて成るテープ状部材から構成されていて、基材片の延伸後の弾性的収縮性を利用して、瞼に該テープ状部材に沿ったくびれを形成するように構成して、また、瞼の皮膚に対するくい込みを改善したものである。
【０００７】
特許文献３には、弾性的収縮性を利用して様々な瞼の状態に対応させることができる二重瞼形成用テープが開示されている。
【０００８】
特許文献３に開示された二重瞼形成用テープは、テープ状部材を瞼に貼着するための粘着剤を塗着されて成り、該テープ状部材の上記弾性的収縮性を利用して二重瞼を形成する二重瞼形成用テープにおいて、上記テープ状部材、ポリエチレンから成る第１の基材層と、ポリウレタンから成る第２の基材層との積層体を成し、該テープ状部材を所定長さに伸長させたときに、上記第１の基材層が、塑性領域に移行され該塑性領域においても弾性的収縮性を有しているように構成したものである。これにより合成樹脂テープの弾性的収縮性を利用して様々な瞼の状態に対応させることができるようにしたものである。
【０００９】
特許文献４には、非延伸性ストリップ材からなる二重瞼形成品が開示されている。特許文献４に開示された二重瞼形成品は、非延伸性ストリップ材、その非延伸性ストリップ材の少なくとも片面に設けられた粘着剤層、及び、その粘着剤層上に設けられた保護層及び把持部層を有して成り、二重瞼形成品の両端側に把持部層が位置付けられる一方、その両端側よりも内側に保護層が位置付けられており、保護層と把持部層とが非面一となっている
【００１０】
特許文献５には、使用時に二重瞼形成用テープを長軸方向に引張することで剥離基材及び粘着面保護基材のそれぞれを分断して両面粘着テープのみからなる箇所を複数構築し、次いで、当該箇所が螺旋状に捩られることで複数の両面粘着テープが一体化した捩れ構造体を形成し、捩れ構造体を瞼に貼付するようにした二重瞼形成用テープが開示されている。
【００１１】
図８は、基材としてのポリエチレンのみで構成された従来の二重瞼形成用テープを示す図であり、（ａ）は、二重瞼形成用テープの延伸前の状態を示し、（ｂ）は、二重瞼形成用テープの延伸後の状態を示す。図８（ａ）に示すように、従来の二重瞼形成用テープ６０は、延伸前は、表面が保護部材６１で保護されている。
【００１２】
また、保護部材６１の両端は、把持部６５として機能する。図８（ｂ）に示すように、把持部６５の両端を長手方向に延伸することにより、二重瞼形成用テープ６０には、塑性変形領域６２と両端の弾性変形領域６４とが形成される。また、把持部６５近傍では、塑性変形領域６２から徐々に弾性変形領域６４へと変化する弾性変移領域６３が形成されている。
【００１３】
尚、図８に記載の二重瞼形成用テープについては、瞼に微細なツレ（筋目）を生じさせ、目尻、目頭など目のまわりの小皺や、瞼の閉眼時に完全に閉眼しなくドライアイ（目の乾燥）などを引き起こす可能性を考慮し、延伸後の塑性変形領域６２はもはや弾性作用は有していない。
【先行技術文献】
【特許文献】
【００１４】
【特許文献１】特許第３２７７１８０号公報
【特許文献２】特開２０１５−０３９６１３号公報
【特許文献３】特開２０１４−２１２８４７号公報
【特許文献４】特開２０１４−５４５１９号公報
【特許文献５】特許第５３１１６９４号公報
【発明の概要】
【発明が解決しようとする課題】
【００１５】
特許文献１から特許文献３に開示された二重瞼形成用テープは、テープの延伸後の弾性的な伸縮を利用して二重瞼を形成するものである。しかしながら、伸縮を利用するものは、瞼に微細なツレ（筋目）を生じさせ、目尻、目頭など目のまわりの小皺や、瞼の閉眼時に完全に閉眼しなくドライアイ（目の乾燥）などを引き起こす可能性があった。
【００１６】
また、特許文献４における二重瞼形成品は、硬い素材（ポリエステル、ポリプロピレン）などの非延伸性ストリップ材を用いて、装着時に延伸させずに瞼に貼り付けるようにしたものであり、特許文献１から特許文献３に開示された二重瞼形成用テープと異なりテープの収縮を利用していない。
【００１７】
しかしながら非延伸性ストリップ材からなる硬い素材（ポリエステルやポリプロピレン）では、瞼のまばたきの動きによって、湾曲した上瞼の上では長時間高密着することができない恐れがあった。
【００１８】
また、特許文献１から特許文献３、特許文献５及び図８に示す従来の二重瞼形成用テープは、延伸によって塑性変形領域から徐々に弾性変形領域へと変化する弾性変移領域が形成されている。このため、塑性変形領域と弾性変形領域とが混在する弾性変移領域があった。弾性変移領域の大きさは、把持部の位置、延伸状態等で変化するため、塑性変形領域のみを形成することが困難であった。
【００１９】
この場合、特許文献１乃至特許文献３の如く、テープ状部材は、両端を把持して引っ張った状態で、瞼のひだを形成したい位置に押し当て、粘着剤によってテープ状部材をそこに貼り付けて、そのまま両端の把持部を離すことにより、延伸後、引っ張った状態にあるテープ状部材の塑性変形した部分が弾性的に縮む。この弾性的な収縮を利用し、テープ状部材が瞼にくい込んだ状態になって、二重瞼のひだが形成される。
【００２０】
一方で、図８の如く、把持部６５の両端を長手方向に延伸することにより、二重瞼形成用テープ６０には、塑性変形領域６２が形成されるのみで、変形後の塑性変形領域６２はもはや弾性作用は有しておらず、塑性変形領域６２の収縮により二重瞼を形成するものではないが、二重瞼形成用テープを張り付ける上瞼は、1回のまばたきの平均時間が１００ｍ秒〜１５０ｍ秒とされており、それを1分間に大人で十数回行うため、かつ、瞼は人間の皮膚の中で最も薄い部位であることとも相まって、上瞼には非常に繊細な動きが求められる。この上瞼の動きを阻害してしまうような力が加わることを防止するべく、弾性変移領域と弾性変形領域の弾性作用による塑性変形部に対する引張作用（塑性変形領域の滑り）をも完全に防止することが求められている。特許文献５の二重瞼形成用テープについても同様である。
【００２１】
そこで本発明の二重瞼形成用テープは、ポリエチレン等の基材の両面に粘着剤層が設けられた両面粘着テープを備え、従来、両面粘着テープの延伸時に両脇に形成される弾性変移領域、弾性変形領域をも完全になくすべく、使用時に長手方向に引っ張って中央に両面粘着テープのみからなる塑性変形部を形成し、塑性変形部の両脇に非延伸性の基材からなる非延伸層を備えるようにして、弾性変移領域、弾性変形領域をなくし、塑性変形部のみを瞼に貼付することにより、テープの延伸後の弾性的な伸縮や、弾性変移領域と弾性変形領域の弾性作用による塑性変形部に対する引張作用（塑性変形領域の滑り）を排除して二重瞼を形成することができ、小皺や、ドライアイ等を防止することが可能な二重瞼形成用テープを提供することを目的とする。
【課題を解決するための手段】
【００２２】
上記目的達成のため、本発明の二重瞼形成用テープは、細長の基材の両面に粘着剤層が設けられた両面粘着テープと、前記粘着剤層を剥離可能な状態で覆う粘着面保護基材とを備え、使用時に長手方向に引っ張ることにより当該粘着面保護基材を分断して前記両面粘着テープを延伸させて、中央に当該両面粘着テープのみからなる塑性変形部を形成し、当該塑性変形部を瞼に貼付する二重瞼形成用テープであって、前記両面粘着テープは、少なくとも片面、かつ、前記塑性変形部の両脇に非延伸性の基材からなる非延伸層が前記粘着剤層を介して固定され、前記非延伸層は、前記両面粘着テープ側と反対の表面が粘着剤層を介して前記粘着面保護基材に覆われていることを特徴とする。
【００２３】
また、本発明の二重瞼形成用テープは、前記両面粘着テープと前記非延伸層との間の前記粘着剤層を介した密着力は、前記両面粘着テープと前記粘着面保護基材との密着力よりも強いことを特徴とする。
【００２４】
また、本発明の前記非延伸層は、前記粘着剤層を介して前記両面粘着テープに剥離不能に固定されることを特徴とする。
【００２５】
また、本発明の二重瞼形成用テープは、細長の基材の両面に粘着剤層が設けられた複数の両面粘着テープと、当該複数の両面粘着テープ間に介される剥離基材とを積層した両面粘着テープ積層体と、当該両面粘着テープ積層体の外側両面の各々に位置する粘着剤層を剥離可能な状態で覆う粘着面保護基材とを備え、使用時に長手方向に引っ張ることにより当該粘着面保護基材及び前記剥離部材の各々を分断して前記複数の両面粘着テープを延伸させて、中央に当該両面粘着テープのみからなる塑性変形部を形成し、当該塑性変形部を螺旋状に捩じり瞼に貼付する二重瞼形成用テープであって、前記両面粘着テープは、少なくとも片面、かつ、前記塑性変形部の両脇に非延伸性の基材からなる非延伸層が前記粘着剤層を介して固定され、前記非延伸層は、前記両面粘着テープ側と反対の表面が粘着剤層を介して前記剥離基材又は前記粘着面保護基材に密着していることを特徴とする。
【００２６】
また、本発明の二重瞼形成用テープは、前記両面粘着テープと前記非延伸層との間の前記粘着剤層を介した密着力は、前記両面粘着テープと、前記粘着面保護基材及び前記剥離基材との密着力よりも強いことを特徴とする。
【００２７】
また、本発明の前記非延伸層は、前記粘着剤層を介して前記両面粘着テープに剥離不能に固定されることを特徴とする。
【発明の効果】
【００２８】
本発明によれば、基材の両面に粘着剤層が設けられた両面粘着テープを備え、使用時に長手方向に引っ張って中央に両面粘着テープのみからなる塑性変形部を形成し、塑性変形部を瞼に貼付することにより、両面粘着テープの延伸後の弾性的な伸縮を利用することなしに二重瞼を形成することができ、目尻、目頭など目のまわりの小皺や、瞼の閉眼時に完全に閉眼しないことによるドライアイ（目の乾燥）等を防止することができる。
【００２９】
また、本発明の二重瞼形成用テープは、塑性変形部の両脇に非延伸性の基材からなる非延伸層を備えることにより、非延伸層に貼着された両面粘着テープの延伸による弾性的収縮的な滑りを防止することが可能となる。また、非延伸層を設けることにより、弾性変移領域をなくすることができ、かつ、さらには、弾性変形領域の弾性作用も完全に排除することが可能となるため、両面粘着テープの塑性変形部のみを確実に形成することができるため、両面粘着テープの塑性変形部のみを瞼に密着することが可能となる。
【００３０】
また、本発明の二重瞼形成用テープは、基材の両面に粘着剤層が設けられた複数の両面粘着テープを用いて多層構造にすることができるため、厚い瞼、腫れぼったい瞼、奥二重瞼等の重量のある瞼（重い瞼）に使用することが可能である。
【００３１】
また、本発明の二重瞼形成用テープは、両面粘着テープと非延伸層との間の粘着剤層を介した密着力は、両面粘着テープと粘着面保護基材との密着力よりも強いため、使用時に両面粘着テープを延伸させて長手方向に引っ張る際に、粘着面保護基材が分断して、中央に両面粘着テープのみからなる塑性変形部を容易に形成することができる。
【図面の簡単な説明】
【００３２】
【図１】二重瞼形成用テープの構成を示す図であり、（ａ）は長手方向に沿って切断した説明断面図、（ｂ）は平面図である。
【図２】非延伸層を両面粘着テープの両面に設けた二重瞼形成用テープの構成を示す断面図である。
【図３】二重瞼形成用テープの使用方法を説明する図である。
【図４】延伸後の二重瞼形成用テープの状態を示す断面図である。
【図５】（ａ）は、延伸後の二重瞼形成用テープの状態を示す平面図であり、（ｂ）は、図５（ａ）に示す１点鎖線の円内の拡大図であり、両面粘着テープのポリエチレンと非延伸層のポリエステルとの固定状態を示している。
【図６】複数（ダブルタイプ）の両面粘着テープを用いた二重瞼形成用テープの構成を示す長手方向に沿って切断した説明断面図である。
【図７】ダブルタイプの二重瞼形成用テープの使用方法を説明する図である。
【図８】基材としてのポリエチレンのみで構成された従来の二重瞼形成用テープを示す図であり、（ａ）は、二重瞼形成用テープの延伸前の状態を示し、（ｂ）は、二重瞼形成用テープの延伸後の状態を示す。
【発明を実施するための形態】
【００３３】
以下、図面を参照して、本発明による二重瞼形成用テープを実施するための形態について説明する。本発明に係る二重瞼形成用テープは、ポリエチレン等の基材の両面に粘着剤層が設けられた両面粘着テープを備え、使用時に長手方向に引っ張って中央に両面粘着テープのみからなる塑性変形部を形成し、塑性変形部の両脇に非延伸性の基材からなる非延伸層を備えるようにしたものである。
【００３４】
これによって、塑性変形部を瞼に貼付することにより、両面粘着テープが収縮することがなく、両面粘着テープの延伸後の弾性的な伸縮を利用することなしに二重瞼を形成することができ、このため、目尻、目頭など目のまわりの小皺や、瞼の閉眼時に完全に閉眼しないことによるドライアイ（目の乾燥）などを防止することができる。
【００３５】
図１（ａ）は、二重瞼形成用テープの構成を示す長手方向に沿って切断した説明断面図、図１（ｂ）は、二重瞼形成用テープの平面図（上面）である。図１（ａ）に示すように、二重瞼形成用テープ１は、細長の基材４の両面に粘着剤層５、６が設けられた両面粘着テープ３と、粘着剤層５、６を覆う粘着面保護基材２０とを備えている。両面粘着テープ３の基材として、ポリエチレン４が好適であり、ポリエチレン４の両面に粘着剤層５、６が塗布されている。
【００３６】
また、両面粘着テープ３の片面の粘着剤層６における長手方向の両端面付近に、非延伸層１５が粘着剤層６を介して積層されて剥離不能に固定されている。非延伸層１５の基材として、非延伸性を有するポリエステル１６が好適で有り、ポリエステル１６は、粘着剤層６を介して両面粘着テープ３の一方の面と密着している。また、非延伸層１５の基材としてのポリエステル１６は、両面粘着テープ３（側）と反対の表面に粘着剤層７が塗布されている。
【００３７】
また、二重瞼形成用テープ1の外側の両面には、粘着面保護基材２０が剥離可能な状態で貼付されている。粘着剤層を保護する粘着面保護基材は、シリコーンゴム２０で形成されており、粘着面保護基材としてのシリコーンゴム２０は、両面粘着テープ３の他方の面の粘着剤層５側に剥離可能な状態で貼着されている。
【００３８】
また、シリコーンゴム２０は、ポリエステル１６及び両面粘着テープ３の一方の面の粘着剤層６側にも剥離可能な状態で貼着されている。このように、粘着面保護基材としてのシリコーンゴム２０は、二重瞼形成用テープ1の表面及び裏面の全面に剥離可能な状態で貼着されている。
【００３９】
以下に、二重瞼形成用テープ1を構成する部材について説明する。
【００４０】
両面粘着テープ３における基材の材質は、ポリエチレン４が好適である。ポリエチレン４は、密度範囲によって、高密度ポリエチレン、中密度ポリエチレン、低密度ポリエチレンに分類される。これらの内、低密度ポリエチレンが最も好適である。高密度ポリエチレン及び中密度ポリエチレンを用いた場合には装着感にゴロゴロ感が出てしまうのに対し、低密度ポリエチレンは、延伸性に優れ、延伸後は塑性変形状態を保持することができ、このため、低密度ポリエチレンを用いることにより非常に優れたフィット感を得ることができる。
【００４１】
尚、基材４としての材質は、ポリエチレン以外に、ポリウレタン、レーヨン不織布であってもよい。
【００４２】
両面粘着テープ３等に用いる粘着剤層５、６、７における粘着成分は、下記の性質を備えることが好適である。第１に、基材に引張力が印加されて基材が引っ張られた際に、粘着剤層は追従して伸びる粘弾性を有する必要がある。第２に、使用時における瞼への付着適合性と、油脂、汗及び涙への耐付着低減性（持続性）を有することである。
【００４３】
このような性質を有する粘着性の材質として、ポリエチレンが好適である。基材４がポリエチレンである場合には、アクリル系粘着剤を主成分とし、その他の成分として粘着付与剤を含有する粘着成分が好適である。
【００４４】
アクリル系粘着剤は、アクリル酸、アクリル酸メチル、アクリル酸エチル、アクリル酸ブチル、アクリル酸２-エチルヘキシル、アクリル酸イソブチル、アクリル酸イソオクチルなどを構成モノマーとしたものである。また、アクリル系以外の粘着剤では、シリコン系粘着剤であってもよい。
【００４５】
両面粘着テープ３に用いる粘着成分（粘着成分層）の厚さは、前述した性質に影響を与えるため、性質を満たすように選定する。そのため、粘着成分の厚さは、好適には０．０１〜０．０４ｍｍであり、より好適には０．０１〜０．０３ｍｍであり、特に好適には０．０１〜０．０２５ｍｍである。
【００４６】
また、基材及び粘着成分とを合わせた両面粘着テープ３の厚さは、前述した性質を与えるため、性質を満たすように選定する。そのため、両面粘着テープ３の厚さは、好適には０．０９〜０．２０ｍｍであり、より好適には０．１０〜０．１８ｍｍであり、特に好適には０．１１〜０．１６ｍｍである。
【００４７】
例えば、基材としてのポリエチレン４の厚さが、７５μｍを用いた両面粘着テープ３の厚さは、０．１６ｍｍである。
【００４８】
図１（ａ）に示すように、非延伸層１５としてのポリエステル１６は、両面粘着テープ３の長手方向の両端に短辺の形状を成し、粘着剤層６を介して両面粘着テープ３の表面を覆い、両面粘着テープ３の巾と同一の寸法で貼付されている。ポリエステル１６は、硬く伸びにくい非延伸性の特性を有している。
【００４９】
また、非延伸層１５は、両面粘着テープ３側と反対側の表面が粘着剤層７を介して粘着面保護基材２０に覆われている。
【００５０】
このように、ポリエステル１６は、粘着面保護基材２０間に設けられた粘着剤層７とにより非延伸層１５を形成している。
【００５１】
例えば、ポリエステル１６の厚さが、２３μｍを用いた非延伸層１５の厚さは、０．０９ｍｍである。
【００５２】
また、収縮を防止するための非延伸性を有する材質は、ポリエステル１６以外に、不織布片面テープ、ＯＰＰ（オリエンテッドポリプロピレン）片面テープであってもよい。
【００５３】
尚、非延伸層１５は、両面粘着テープ３を延伸後に形成される塑性変形部１０の両脇に備えられているが、非延伸層１５の作用等の詳細は後述する。
【００５４】
図１（ａ）に示すように、粘着面保護基材としてのシリコーンゴム２０は、粘着剤層５、６、７を汚れ等から保護し、また、両面粘着テープ３の延伸時の把持する箇所となり、把持部（図示せず）を形成する。シリコーンゴム２０は、中央に張りによって破断する破断部２１を有している。破断部２１は、粘着剤層５、６、７側の幅方向に設けられた切断溝２２によって形成されている。
【００５５】
図１（ａ）に示されるように、粘着面保護基材２０に凹形状を成す破断部２１を設けて、両面粘着テープ３を延伸した際には容易に分断するようにすることが好適である。
【００５６】
更に、粘着面保護基材２０の表面（両面粘着テープ３と接触する面）には、両面粘着テープ３の粘着面と干渉し難くなるような鏡面加工等の表面加工を施すことが好適である。粘着面保護基材２０の表面を平滑となるよう加工することで、両面粘着テープ３を延伸させる際に、粘着面保護基材２０が剥離して両面粘着テープ３に負荷をかけずに伸長できるため、両面粘着テープ３の破断を防ぐことが可能となる。このように、両面粘着テープ３と粘着面保護基材２０との密着力は、両面粘着テープ３と非延伸層１５との間の粘着剤層を介した密着力よりも弱くなっている。
【００５７】
また、粘着面保護基材２０の他の表面は、シボ仕上（細かい凹凸加工）が施されており、指先によって両面粘着テープ３の両端を延伸する際に、滑りを減らすようにする。
【００５８】
シリコーンゴム２０の中央に設けられている破断部２１における切断溝の深さは、シリコーンゴム２０の厚さの２／３以上を有するようにする。シリコーンゴム２０の中央に破断部２１を設けることにより、両面粘着テープ３の延伸時にシリコーンゴム２０の中央部が破断して、容易に塑性変形部１０（図４に示す）を形成することができる。
【００５９】
尚、粘着面保護基材は、シリコーンゴム２０に限らず他の部材を使用するようにしてもよい。例えば、シリコン加工を施したフィルム、あるいはシリコン樹脂をペーパー状にしたシリコンペーパーを用いるようにしてもよい。
【００６０】
図１（ｂ）に示すように、シングルタイプの二重瞼形成用テープ1の長手方向の長さＬは、例えば、２８ｍｍであり、二重瞼形成用テープ1の長手方向の長さは、２５から３０ｍｍが好適である。
【００６１】
また、図１（ｂ）に示すように、二重瞼形成用テープ1の幅Ｗは、１．２から２．０ｍｍが好適である。二重瞼形成用テープ1の幅が狭すぎると、二重瞼形成用テープ1の粘着面が面積が少なくなり、十分な密着力が得られないことがある。一方、二重瞼形成用テープ1の幅が広すぎると、装着時に違和感を覚える恐れがある。
【００６２】
また、図１（ｂ）に示すように、二重瞼形成用テープ1の非延伸層１５の長さＬｃは、例えば、二重瞼形成用テープ1の長手方向の長さＬが２８ｍｍの場合には、５ｍｍである。
【００６３】
図１に示す二重瞼形成用テープ1は、非延伸層１５を両面粘着テープ３の片面に設けた実施形態を説明したが、非延伸層１５を両面粘着テープ３の両面に設けるようにしてもよい。
【００６４】
図２は、非延伸層を両面粘着テープの両面に設けた二重瞼形成用テープの構成を示す断面図である。図２に示すように、二重瞼形成用テープ２は、細長の基材の両面に粘着剤層が設けられた両面粘着テープ３と、粘着剤層５、６、７を剥離可能な状態で覆う粘着面保護基材２０とを備えている。両面粘着テープ３の基材として、ポリエチレン４が好適であり、ポリエチレン４の両面に粘着剤層５、６が塗布されている。
【００６５】
また、両面粘着テープ３の両面の粘着剤層における長手方向の両端面付近に、非延伸層１５が粘着剤層５、６を介して積層されて剥離不能な状態で固定されている。
【００６６】
図２に示すように、両面粘着テープ３の長手方向の両端面付近の両面に、非延伸層１５を設けることにより、両面粘着テープ３を延伸させて、中央に両面粘着テープ３のみからなる塑性変形部１０（図４に示す）を容易に形成することができる。
【００６７】
次に、二重瞼形成用テープの使用方法及び延伸後の二重瞼形成用テープの状態について図３、図４を用いて説明する。図３は、二重瞼形成用テープの使用方法を説明する図、図４は、延伸後の二重瞼形成用テープの状態を示す断面図である。
【００６８】
二重瞼形成用テープは、使用時に長手方向に引っ張ることにより粘着面保護基材を分断して両面粘着テープを延伸させる。両面粘着テープを延伸させることにより、中央に両面粘着テープのみからなる塑性変形部１０を形成し、塑性変形部を瞼に貼付する。
【００６９】
図３は、図１に示す二重瞼形成用テープを両側に引っ張った状態を示す側面図である。図３（ａ）に示すように、粘着面保護基材２０を摘み、二重瞼形成用テープ１全体を左右に延伸させる。図３（ｂ）に示すように、二重瞼形成用テープ１は引っ張りにより長手方向中央の破断部２１付近から延び始め、左右両側に引っ張られるにつれて破断部２１から離れた側の両面粘着テープ３も順次延びていく。この際、両面の粘着面保護基材２０は中央で分離しつつ、把持部として機能し、両面粘着テープ３のみからなる箇所すなわち塑性変形部１０と把持部とが形成される。
【００７０】
図３（ｃ）に示すように、二重瞼形成用テープ1の両端を持って、二重瞼形成用テープ1をピンと張った状態で、目の形状に合わせながら二重瞼を形成する箇所に湾曲状に押し当てて貼り付けて固定する。図３（ｄ）に示すように、瞼に二重瞼形成用テープ１の塑性変形部１０を固定後、両端の余った非延伸層１５を含む箇所をハサミ等で切除する。切断により、ポリエチレン４の塑性変形部１０のみが、瞼の形成箇所に配されて、二重瞼を形成する。
【００７１】
図４は、延伸後の二重瞼形成用テープの状態を示す断面図である。図４に示すように、使用時に長手方向に引っ張ることにより粘着面保護基材２０を分断して両面粘着テープ３が延伸させて、中央に両面粘着テープ３のみからなる塑性変形部１０が形成される。
【００７２】
例えば、図１（ｂ）に示す延伸前の二重瞼形成用テープ1の長手方向の長さＬは、２８ｍｍであるが、図４に示す延伸後の二重瞼形成用テープ1の長さＬｅ＋２Ｌｘ＋２Ｌｃは、約８０ｍｍである。両面粘着テープ３のポリエチレン４を数倍に引き延ばすことにより、塑性変形部１０が形成される。
【００７３】
このとき、ポリエステル１６からなる非延伸層１５は、延伸することなく延伸前の長さＬｃである５ｍｍを保っている。また、図４に示すＬｘは、塑性変形部１０から非延伸層１５へ変化する領域である弾性変移領域の長さを示し、Ｌｘは、短い長さとなっている。これにより、ポリエチレン４による塑性変形部１０は、非延伸層１５間で均等に形成されている。
【００７４】
このように、二重瞼形成用テープは、基材としてのポリエチレン４の両面に粘着剤層が塗布されており、ポリエチレン４の片面又は両面に両端面付近に非延伸層１５としてのポリエステル１６の短片が貼り付けられて固定されている構造となっている。
【００７５】
上述したように、両面粘着テープ３の使用時には、両面粘着テープ３の両端に位置する非延伸層１５を指で挟んで、長手方向に引っ張ることによりシリコーンゴム２０を分断して両面粘着テープ３を延伸させて、中央に両面粘着テープ３のみからなる塑性変形部１０を形成し、塑性変形部１０を瞼に貼付する
【００７６】
次に、両面粘着テープのポリエチレンと非延伸層のポリエステルとの固定状態について図５を用いて説明する
【００７７】
図５（ａ）は、延伸後の二重瞼形成用テープ1の状態を示す平面図であり、図５（ｂ）は、図５（ａ）に示す１点鎖線の円内の拡大図であり、両面粘着テープのポリエチレンと非延伸層のポリエステルとの固定状態を示している。
【００７８】
発明者は試行錯誤の結果、二重瞼形成用テープに非延伸層を設けて固定することにより、弾性変移領域をなくすことができ、かつ、さらには、弾性変形領域（図８に示す）の弾性作用も完全に排除可能なことに気付くに至った。
【００７９】
図５（ｂ）に示すように、両面粘着テープ３のポリエチレン４と非延伸層１５のポリエステル１６とが固定されることにより、二重瞼形成用テープ1を延伸しても、ポリエチレン４がポリエステル１６に密着して、ポリエチレン４の塑性変形部１０との弾性変移領域の長さＬｘが短くなり、非延伸層１５にポリエチレン４の非延伸領域が形成される。
【００８０】
このように、両面粘着テープ３のポリエチレン４と非延伸層１５のポリエステル１６とは、粘着剤層６を介して結合（固定）されており、両面粘着テープ３のポリエチレン４と非延伸層１５のポリエステル１６の密着力は、大きなものとなっている。これにより、ポリエステル１６に覆われたポリエチレン４の箇所は、ポリエステル１６と一体となって、非延伸層１５を形成する。また、両面粘着テープ３と非延伸層１５との間の粘着剤層を介した密着力は、両面粘着テープ３と粘着面保護基材２０との密着力よりも強くなっている。
【００８１】
以上述べた二重瞼形成用テープは、細長のポリエチレン４の両面に粘着剤層が設けられた両面粘着テープ３と、粘着剤層を覆う粘着面保護基材としてのシリコーンゴム２０とを備え、使用時に長手方向に引っ張ることによりシリコーンゴム２０を分断して両面粘着テープ３を延伸させて、中央に両面粘着テープ３のみからなる塑性変形部１０を形成し、塑性変形部１０を瞼に貼付するようにしたものである。
【００８２】
また、両面粘着テープ３は、片面又は両面、かつ、ポリエチレン４の塑性変形部１０の両脇に非延伸性のポリエステル１６からなる非延伸層１５が粘着剤層を介して固定されており、非延伸層１５は、前記両面粘着テープ３と反対側の表面が粘着剤層を介して粘着面保護基材に剥離可能な状態で覆われており、これにより、ポリエチレン４の塑性変形部１０の境界を明確にして、ポリエチレン４の塑性変形部１０のみで二重瞼を形成できるようにしたものである。
【００８３】
以上、両面粘着テープを一層のみ使用したシングルタイプの二重瞼形成用テープについて述べたが、しかしながら、シングルタイプの二重瞼形成用テープは、厚い瞼、腫れぼったい瞼、奥二重瞼等の重量のある瞼（重い瞼）に使用した際には、瞼を支えることができなかったり、短時間で剥離してしまうことがある。このような、重い瞼には、ダブルタイプの二重瞼形成用テープを使用することが望ましい。以下に、ダブルタイプの二重瞼形成用テープについて図６を用いて説明する。
【００８４】
図６は、ダブルタイプの二重瞼形成用テープの構成を示す長手方向に沿って切断した説明断面図である。図６（ａ）に示すように、ダブルタイプの二重瞼形成用テープ３０は、両面に粘着剤層５、６が塗布された基材としてのポリエチレン４からなる両面粘着テープ３と、ポリエチレン４の片面の粘着剤層６における長手方向の両端面付近に、ポリエステル１６からなる非延伸層１５とが、剥離基材３２を介して対称に２組が積層されて、非延伸層６が両面粘着テープ３に剥離不能に固定されている。
【００８５】
尚、複数（図６に示す実施例は２）の両面粘着テープと複数の両面粘着テープ間に介される剥離基材とを積層したものを両面粘着テープ積層体３１という。また、粘着面保護基材としてシリコーンゴム２０が、両面粘着テープ積層体３１の外側両面に位置する粘着剤層５に剥離可能な状態で積層されている。
【００８６】
図６（ａ）に示されるように、剥離基材３２には破断部３３が設けられており、二重瞼形成用テープ３０を延伸した際には容易に分断できるように構成されている。更に、剥離基材３２は、粘着剤層に剥離可能な状態で密着するものであり、そのため、剥離基材３２の表面（両面粘着テープ３と接触する面）には、両面粘着テープ３の粘着面と干渉し難くなるような鏡面加工等の表面加工を施すことが好適である。剥離基材３２の表面を平滑となるよう加工することで、テープを延伸させる際に、両面粘着テープ３に負荷をかけずに伸長出来るため、両面粘着テープ３の破断を防ぐことが可能となる。このように、両面粘着テープ３と、粘着面保護基材２０及び剥離基材３２との密着力は、両面粘着テープ３と非延伸層１５との間の粘着剤層を介した密着力よりも弱くなっている。
【００８７】
また、剥離基材３２の部材として、シリコーンゴムが好適である。尚、粘着面保護基材もシリコーンゴム２０を使用しているが、剥離基材３２と粘着面保護基材では、シリコーンゴムの表面状態が異なっており、剥離基材３２は両面とも鏡面状態を成して粘着剤層から剥離可能な状態となっている。
【００８８】
図６（ａ）に示すように、剥離基材としてのシリコーンゴム３２の中央には破断部３３が設けられており、破断部３３における切断部の溝の深さは、シリコーンゴム３２の厚さの２／３以上を有するようにする。
【００８９】
このように、ダブルタイプの二重瞼形成用テープ３０は、内部に中心部材としてシリコーンゴム３２が配され、上下対称に粘着剤層７、ポリエステル１６、粘着剤層６、ポリエチレン４、粘着剤層５、シリコーンゴム２０が順位積層された構造を成す。これにより、ポリエチレン４が上下に配され、また、粘着剤層５、６の量が、シングルタイプの二重瞼形成用テープの２倍の量となる。
【００９０】
ダブルタイプの二重瞼形成用テープは、複数の両面粘着テープ３を延伸させて、中央に当該両面粘着テープ３のみからなる塑性変形部１０を形成した後に、塑性変形部１０を螺旋状に捩じって瞼に貼付するものである。
【００９１】
図６（ａ）に示すダブルタイプの二重瞼形成用テープ３０は、内部に中心部材として剥離基材（シリコーンゴム）３２が配され、上下対称にポリエステル１６、ポリエチレン４等を配した構成であるが、図６（ｂ）に示すように、シングルタイプの二重瞼形成用テープ１を上下に積層するようにして両面粘着テープ積層体３１を形成してもよい。但し、内部中心に位置する剥離基材（シリコーンゴム）３２は、上下の層で共用するように構成するようにする。
【００９２】
また、図６（ｃ）に示すように、両面粘着テープ積層体３１を構成して、両面粘着テープ３の長手方向の両端面付近の両面に、非延伸層１５を設けるようにしてもよい。
【００９３】
このように、ダブルタイプの二重瞼形成用テープ３０は、シングルタイプの二重瞼形成用テープ１を２式使用した構成となっている。
【００９４】
次に、ダブルタイプの二重瞼形成用テープの使用方法について図７を用いて説明する。図７は、二重瞼形成用テープの使用方法を説明する図である。
【００９５】
二重瞼形成用テープは、使用時に長手方向に引っ張ることにより粘着面保護基材を分断して両面粘着テープ３を延伸させる。両面粘着テープを延伸させることにより、中央に両面粘着テープ３のみからなる塑性変形部を形成し、塑性変形部１０を瞼に貼付する。
【００９６】
図７（ａ）に示すように、最初に、粘着面保護基材を摘み、二重瞼形成用テープ３０全体を左右に延伸させる。テープ状部材は引っ張りにより長手方向中央の破断部３３付近から延び始め、左右両側に引っ張られるにつれて破断部３３から離れた側の両面粘着テープ３も順次延びていく。この際、両面の粘着面保護基材２０は把持部へと分離し、２本の両面粘着テープ３のみからなる箇所すなわち塑性変形部１０と、把持部とが形成される。
【００９７】
図７（ｂ）に示すように、両端の把持部をそれぞれ逆方向に回転させて、螺旋状に捩じって、１本の塑性変形部１０を形成する。
【００９８】
次に、図７（ｃ）に示すように、二重瞼形成用テープ３０の両端を持って、二重瞼形成用テープ３０をピンと張った状態で、目の形状に合わせながら二重瞼形成箇所に湾曲状に押し当てて貼り付けて固定する。
【００９９】
次に、図７（ｄ）に示すように、瞼に二重瞼形成用テープ３０の塑性変形部１０を固定後、両端の余った非延伸層１５を含む箇所をハサミ等で切除する。切断により、ポリエチレン４の塑性変形部１０のが、瞼の形成箇所に配されて、二重瞼を形成する。
【０１００】
このように、ダブルタイプの二重瞼形成用テープ３０は、使用時に長手方向に引っ張ることにより剥離基材３２及び粘着面保護基材２０を分断して両面粘着テープ３を延伸させて、中央に両面粘着テープ３のみからなる塑性変形部１０が形成し、１本の塑性変形部１０を形成するために、両端の把持部をそれぞれ逆方向に回転させて、螺旋状に捩じるようにする。
【０１０１】
例えば、図６に示す、延伸前のダブルタイプの二重瞼形成用テープの長手方向の長さは、２８ｍｍであり、非延伸層１５（非延伸層の長手方向の長さ：５ｍｍ×２）を除いた長手方向の長さは、１８ｍｍである。延伸後のダブルタイプの二重瞼形成用テープの長手方向の長さは８０ｍｍであり、塑性変形部１０の長さ（非延伸層を除いた部分）は、７０ｍｍである。即ち、両面粘着テープ３のポリエチレン４を約４倍に引き延ばすことにより、塑性変形部１０が形成される。
【０１０２】
以上述べたように、二重瞼形成用テープ３０は、細長のポリエチレン４の両面に粘着剤層が設けられた複数の両面粘着テープ３と、複数の両面粘着テープ３間に介される剥離基材３２とを積層した両面粘着テープ積層３１体と、両面粘着テープ積層体３１の外側両面の各々に位置する粘着剤層を剥離可能な状態で覆うシリコーンゴム２０とを備え、使用時に長手方向に引っ張ることによりシリコーンゴム２０及び剥離部材３２の各々を分断して複数の両面粘着テープを延伸させて、中央に当該両面粘着テープのみからなる塑性変形部を形成し、当該塑性変形部を螺旋状に捩じり瞼に貼付するようにしたものである。
【０１０３】
また、両面粘着テープ３は、片面又は両面、かつ、ポリエチレン４の塑性変形部１０の両脇に非延伸性のポリエステル１６からなる非延伸層１５を粘着剤層を介して固定し、非延伸層１５は、前記両面粘着テープ３と反対側の表面が粘着剤層を介して粘着面保護基材に剥離可能な状態で覆われており、これにより、ポリエチレン４の塑性変形部１０の境界を明確にして、ポリエチレン４の塑性変形部１０のみで二重瞼を形成できるようにしたものである。
【０１０４】
これにより、シングルタイプの二重瞼形成用テープでは、厚い瞼、腫れぼったい瞼、奥二重瞼等の重量のある瞼（重い瞼）等を支えることができなかったが、ダブルタイプの二重瞼形成用テープ３０を使用することができ、厚い瞼、腫れぼったい瞼、奥二重瞼等の重量のある瞼（重い瞼）に対応することができ、長時間瞼から剥離することがない。
【０１０５】
尚、二重瞼形成用テープ３０は、ポリエチレン４を２層使用したダブルタイプに限らず、例えば、ポリエチレン４を３層以上使用したものであってもよい。
【０１０６】
以上述べたように、本発明によれば、ポリエチレン等の基材の両面に粘着剤層が設けられた両面粘着テープを備え、使用時に長手方向に引っ張って中央に両面粘着テープのみからなる塑性変形部を形成し、塑性変形部を瞼に貼付することにより、両面粘着テープの延伸後の弾性的な伸縮を利用することなしに二重瞼を形成することができ、目尻、目頭など目のまわりの小皺や、瞼の閉眼時に完全に閉眼しないことによるドライアイ（目の乾燥）等を防止することができる。
【０１０７】
また、本発明の二重瞼形成用テープは、塑性変形部の両脇に非延伸性の基材からなる非延伸層を備えることにより、非延伸層に貼着された両面粘着テープの延伸による弾性的収縮的な滑りを防止することが可能となる。また、非延伸層を設けることにより、弾性変移領域をなくすことができ、かつ、弾性変形領域の弾性作用も完全に排除することが可能となるため、両面粘着テープの塑性変形部のみを確実に形成することができるため、両面粘着テープの塑性変形部のみを瞼に密着することが可能となる。
【０１０８】
また、本発明の二重瞼形成用テープは、基材の両面に粘着剤層が設けられた複数の両面粘着テープを用いて多層構造にすることができるため、厚い瞼  腫れぼったい瞼、奥二重瞼等の重量のある瞼（重い瞼）に使用することが可能である。
【０１０９】
また、本発明の二重瞼形成用テープは、両面粘着テープと非延伸層との間の粘着剤層を介した密着力は、両面粘着テープと粘着面保護基材との密着力よりも強いため、使用時に両面粘着テープを延伸させて長手方向に引っ張る際に、粘着面保護基材が分断して、中央に両面粘着テープのみからなる塑性変形部を容易に形成することができる。
【０１１０】
以下に、出願人による先行技術調査において発見された先行技術文献と本発明との対比を説明する。
【０１１１】
特許文献１（特許第３２７７１８０号公報）、特許文献２（特開２０１５−０３９６１３号公報）、特許文献３（特開２０１４−２１２８４７号公報）には、テープの延伸後の弾性的な伸縮を利用して二重瞼を形成する二重瞼形成用テープが開示されている。
【０１１２】
すなわち、延伸可能でその延伸後にも弾性的収縮性を有する基材片から成り、例えば、基材片が伸長させた状態で瞼に貼り付け、基材片の弾性的な伸縮性を利用したものである。
【０１１３】
また、特許文献４（特開２０１４−５４５１９号公報）には、ポリプロピレン材、ポリエステル材等の非延伸性ストリップ材からなる二重瞼形成品が開示されている。
【０１１４】
本発明は、ポリエチレン等の基材の両面に粘着剤層が設けられた両面粘着テープを備え、従来、両面粘着テープの延伸時に両脇に形成される弾性変移領域、弾性変形領域を完全になくすべく、使用時に長手方向に引っ張って中央に両面粘着テープのみからなる塑性変形部を形成し、塑性変形部の両脇に非延伸性の基材からなる非延伸層を備えるようにして、弾性変移領域、弾性変形領域をなくし、塑性変形部のみを瞼に貼付することにより、テープの延伸後の弾性的な伸縮を利用することなしに二重瞼を形成するようにしたものである。
【０１１５】
特許文献１から特許文献３に開示された二重瞼形成用テープは、テープの延伸後の弾性的な伸縮を利用して二重瞼を形成するものである。しかしながら、伸縮を利用するものは、瞼に微細なツレを生じさせ、目尻、目頭など目のまわりの小皺や、瞼の閉眼時に完全に閉眼しなくドライアイ（目の乾燥）などを引き起こす可能性があった。
【０１１６】
本発明は、テープの延伸後の弾性的な伸縮を利用することなしに二重瞼を形成することができ、ドライアイ等を防止することが可能である。
【０１１７】
また、特許文献４における二重瞼形成品は、硬い素材（ポリエステル、ポリプロピレン）などの非延伸性ストリップ材を用いて、装着時に延伸させずに瞼に貼り付けるようにしたものであり、硬い素材では、瞼のまばたきの動きによって、湾曲した上瞼の上では長時間高密着することができない恐れがあった。
【０１１８】
本発明は、使用時に長手方向に引っ張ることによりポリエチレンを延伸させて、中央にポリエチレンのみからなる塑性変形部を形成し、塑性変形部を瞼に貼付するため、
瞼に長時間高密着することができる。
【０１１９】
また、図８に係る二重瞼形成用テープについても、例えば、図８の如く、把持部６５の両端を長手方向に延伸することにより、二重瞼形成用テープ６０には、塑性変形領域６２が形成されるのみで、変形後の塑性変形領域６２はもはや弾性作用は有しておらず、塑性変形領域６２の収縮により二重瞼を形成するものではない。
【０１２０】
しかしながら、二重瞼形成用テープを張り付ける上瞼は１回のまばたきの平均時間が１００ｍ秒〜１５０ｍ秒とされており、それを１分間に大人で十数回行うため、かつ、瞼は人間の皮膚の中で最も薄い部位であることとも相まって、上瞼には非常に繊細な動きが求められ、この上瞼の動きを阻害してしまうような力が、弾性変移領域と弾性変形領域の弾性作用による塑性変形部に対する引張作用（塑性変形領域の滑り）により生じる恐れがある。特許文献５（特許第５３１１６９４号公報）の二重瞼形成用テープについても同様である。
【０１２１】
本発明は、ポリエチレン等の基材の両面に粘着剤層が設けられた両面粘着テープを備え、従来、両面粘着テープの延伸時に両脇に形成される弾性変移領域、弾性変形領域を完全になくすべく、使用時に長手方向に引っ張って中央に両面粘着テープのみからなる塑性変形部を形成し、塑性変形部の両脇に非延伸性の基材からなる非延伸層を備えるようにして、弾性変移領域、弾性変形領域をなくし、塑性変形部のみを瞼に貼付することにより、テープの延伸後の弾性的な伸縮や、弾性変移領域と弾性変形領域の弾性作用による塑性変形部に対する引張作用（塑性変形領域の滑り）を排除して二重瞼を形成するようにしたものである。
【０１２２】
このように本発明の二重瞼形成用テープは、テープの延伸後の弾性的な伸縮を利用することなしに二重瞼を形成することができ、ドライアイ等を防止することが可能であり、先行技術文献にはない特徴を有している。
【０１２３】
この発明は、その本質的特性から逸脱することなく数多くの形式のものとして具体化することができる。よって、上述した実施形態は専ら説明上のものであり、本発明を制限するものではないことは言うまでもない。
【符号の説明】
【０１２４】
１、２  二重瞼形成用テープ（シングルタイプ） 
３      両面粘着テープ
４      基材（ポリエチレン） 
５、６、７    粘着剤層
１０    塑性変形部
１５    非延伸層
１６    非延伸性の基材（ポリエステル）
２０    粘着面保護基材（シリコーンゴム）
２１、３３    破断部
２２    切断部
３０    二重瞼形成用テープ（ダブルタイプ）
３１    両面粘着テープ積層体
３２    剥離基材（シリコーンゴム）
６０    二重瞼形成用テープ（従来）
６１    保護基材
６２    塑性変形領域
６３    弾性変移領域
６４    弾性変形領域
６５    把持部
【図１】
2017200545.tif 000003
【図２】
2017200545.tif 000004
【図３】
2017200545.tif 000005
【図４】
2017200545.tif 000006
【図５】
2017200545.tif 000007
【図６】
2017200545.tif 000008
【図７】
2017200545.tif 000009
【図８】
2017200545.tif 000010